(57)【要約】【課題】寝具本体のカバーリングを容易に行うことができると共に、寝具の汎用性を高めることができる接合部材を提供する。【解決手段】一実施形態に係る接合部材は、既存の寝具用カバーであるカバー２０と掛け布団本体１０とをカバー２０の内部において接合する接合部材３０である。接合部材３０は、カバー２０の内側で延びる紐状体２２が取り付けられる取付部３１と、掛け布団本体１０に貼り合わされて掛け布団本体１０に接合される第１布状部材３２及び第２布状部材とを備える。【選択図】図４
2019024736.tif 000002
【特許請求の範囲】
【請求項１】
既存の寝具用カバーと寝具本体とを前記寝具用カバーの内部において接合する接合部材であって、
前記寝具用カバーの内側で延びる紐状体が取り付けられる取付部と、
前記寝具本体に貼り合わされて前記寝具本体に接合される布状部材と、
を備えた接合部材。
【請求項２】
複数枚の前記布状部材が重ね合わされて構成される、
請求項１に記載の接合部材。
【請求項３】
前記取付部は紐状とされており、前記紐状体が前記取付部に引っ掛けられることにより、前記紐状体が前記取付部に取り付けられる、
請求項２に記載の接合部材。
【請求項４】
前記取付部の一端及び他端は複数枚の前記布状部材の間に固定されている、
請求項３に記載の接合部材。
【請求項５】
前記取付部及び複数枚の前記布状部材は、共に、前記布状部材の表面において縫い込まれている、
請求項２〜４のいずれか一項に記載の接合部材。
【発明の詳細な説明】
【技術分野】
【０００１】
本発明は、寝具用カバーと、寝具用カバーに収容される寝具本体とを接合する接合部材に関する。
【背景技術】
【０００２】
布団又は枕等の寝具本体と、寝具本体を収容する寝具用カバーとしては、従来から様々なものが知られている。寝具本体及び寝具用カバーを備えた寝具に対し様々な工夫を凝らすことにより、寝具の使用者に快適な睡眠を提供することが可能となり、使用者の睡眠環境をより良いものにすることが可能となる。
【０００３】
特開２０１３−１４４０９０号公報には、快眠寝具が記載されている。快眠寝具は、使用者に接触する快眠布と、快眠布の表側に設けられる快眠布団とを備え、快眠布の上に快眠布団が被せられることによって使用される。快眠布及び快眠布団のそれぞれには、複数の接合可能生地が固定されており、接合可能生地は、快眠布及び快眠布団それぞれの四隅及び長辺部分に設けられる。快眠布団に固定された各接合可能生地と、快眠布に固定された各接合可能生地とが接合されることにより、快眠布に対する快眠布団のずれが抑制される。
【先行技術文献】
【特許文献】
【０００４】
【特許文献１】特開２０１３−１４４０９０号公報
【発明の概要】
【発明が解決しようとする課題】
【０００５】
前述した快眠寝具では、快眠布及び快眠布団のそれぞれに接合可能生地が固定されている。よって、予め接合可能生地が固定された快眠布と、予め接合可能生地が固定された快眠布団と、の両方を購入等によって入手しなければならない。このため、寝具の汎用性の点において改善の余地がある。
【０００６】
また、寝具では、寝具本体の汚れを防止するために、寝具本体が寝具用カバーに収容されて使用される。寝具用カバーには、掛け布団カバー、敷き布団カバー及び枕カバー等が含まれる。例えば、掛け布団カバーの内部に掛け布団本体を収容する場合には、掛け布団本体を掛け布団カバーの中で押し込むことにより、掛け布団本体の位置及び形状を手で整える必要がある。
【０００７】
また、掛け布団カバーの内部、及び掛け布団本体のそれぞれには、掛け布団カバーに掛け布団本体を接続するための複数の紐状体が設けられている。よって、掛け布団カバーの内部に掛け布団本体を収容する場合には、複数の紐状体を結び付ける作業が必要である。このように寝具本体をカバーリングする作業は、寝具本体を寝具用カバーの中に手で押し込むと共に、カバーリングの度に紐状体を結び付けなければならないので、面倒であり時間がかかるという問題がある。
【０００８】
本発明は、寝具本体のカバーリングを容易に行うことができると共に、寝具の汎用性を高めることができる接合部材を提供することを目的とする。
【課題を解決するための手段】
【０００９】
本発明に係る接合部材は、既存の寝具用カバーと寝具本体とを寝具用カバーの内部において接合する接合部材であって、寝具用カバーの内側で延びる紐状体が取り付けられる取付部と、寝具本体に貼り合わされて寝具本体に接合される布状部材と、を備える。
【００１０】
本発明に係る接合部材は、寝具用カバーの内側で延びる紐状体が取り付けられる取付部と、寝具本体に貼り付けられて寝具本体に接合される布状部材とを備える。よって、一度取付部に寝具用カバーの紐状体を取り付けた後には、布状部材を寝具本体に貼り付けることによって容易にカバーと寝具本体との接合を行うことができる。従って、寝具本体のカバーリングを容易に行うことができる。すなわち、カバーの内面から延びる紐状体に取り付けられた接合部材の布状部材を寝具本体に貼り付けることによって、寝具用カバーに対する寝具本体の接合を容易に行うことができる。また、接合部材が取り付けられる寝具用カバーとしては、従前から存在する既存のものを用いることができる。よって、使用者が昔から使用している既存のカバーの紐状体を接合部材の取付部に取り付ければ、その後は接合部材を寝具本体に接合させてカバーリングを行うことができるので、その後のカバーリングを効率よく行うことができる。このように、本発明に係る接合部材は、既存のカバーにも応用することができるため、寝具の汎用性を高めることができる。
【００１１】
また、前述した接合部材は、複数枚の布状部材が重ね合わされて構成されてもよい。この場合、接合部材が２枚以上の布状部材を含むので、接合部材にコシを持たせることができる。従って、接合部材付きのカバーを洗濯しても接合部材が丸くなることを抑制することができると共に、接合部材の強度を高めることができる。
【００１２】
また、取付部は紐状とされており、紐状体が取付部に引っ掛けられることにより、紐状体が取付部に取り付けられてもよい。この場合、紐状の取付部にカバーの内面から延びる紐状体を引っ掛けることにより、カバーに接合部材を取り付けることができる。よって、既存のカバーに対する接合部材の取り付けを容易に行うことができる。
【００１３】
また、取付部の一端及び他端は複数枚の布状部材の間に固定されていてもよい。この場合、取付部の一端及び他端が複数枚の布状部材の間に挟み込まれた状態で固定されるので、紐状の取付部の強度を高めることができる。従って、洗濯等によって寝具用カバーから接合部材が外れる可能性を低減させることができる。
【００１４】
また、取付部及び複数枚の布状部材は、共に、布状部材の表面において縫い込まれていてもよい。この場合、取付部及び複数枚の布状部材が共に縫い込まれることにより、取付部及び布状部材の強度をより高めることができる。従って、洗濯等によって寝具用カバーから接合部材が外れる可能性を一層確実に抑えることができる。
【発明の効果】
【００１５】
本発明によれば、寝具本体のカバーリングを容易に行うことができると共に、寝具の汎用性を高めることができる。
【図面の簡単な説明】
【００１６】
【図１】第１実施形態に係る接合部材が適用される寝具を示す縦断面図である。
【図２】図１の寝具の寝具本体に固定された第１固定部材及び第２固定部材を示す側面図である。
【図３】第１固定部材の第１パイル部、及び第２固定部材の第２パイル部を示す図である。
【図４】図１の寝具のカバーに収容された寝具本体及び接合部材を模式的に示す平面図である。
【図５】図４の寝具本体に接合された接合部材を拡大した図である。
【図６】図５の接合部材を示す斜視図である。
【図７】第２実施形態に係る接合部材を示す斜視図である。
【発明を実施するための形態】
【００１７】
以下では、図面を参照しながら本発明に係る接合部材の実施形態について説明する。図面の説明において同一又は相当する要素には同一の符号を付し、重複する説明を適宜省略する。
【００１８】
（第１実施形態）
図１は、第１実施形態に係る接合部材が適用される寝具を示す縦断面図である。本明細書において「寝具」とは、寝具の使用者が身体を休めたり睡眠をとったりするときに使用者の身体に当てられるものであり、典型的には、布団、枕、座布団又はクッションである。本実施形態では、寝具が掛け布団１である例について説明する。
【００１９】
「寝具本体」は、寝具の形状を維持する寝具の本体部分を示しており、典型的には、寝具用カバー以外の部分である。「寝具用カバー」は、寝具本体を収容するもの、及び寝具本体を収容する部分を含み、典型的には、寝具本体を覆うカバー、及び寝具本体を覆うシーツを含む。また、後述する「面状」は、二次元的に延在する状態を示しており、肌触りを妨げる程度に突出していない状態を含む。「面接合」とは、接合部分が面状となるように接合する状態を示している。「パイル部」は、布地から輪状に突出する糸の集合体を示している。
【００２０】
掛け布団１は、例えば、複数枚の掛け布団本体１０（寝具本体）と、複数枚の掛け布団本体１０を収容する布製のカバー２０（寝具用カバー）とを備える。掛け布団１は、全体として平面視長方形状を呈する。一例として、掛け布団１は、羽毛布団であり、敷き布団の上に載せられて使用者の身体に掛けられることによって使用される。各掛け布団本体１０は、掛け布団本体１０の中身を構成する内容物１１と、内容物１１を収容する袋状の布部１２とを備える。
【００２１】
掛け布団本体１０は、平面視において長方形状を成している。内容物１１は、布部１２によって形成された内部空間Ｓに充填されている。内容物１１は、例えば、羽毛（羽根）であり、この場合、膨らんだ羽毛の中に熱を閉じ込めることが可能となり高い保温性を発揮する。内部空間Ｓは、例えば、縦横に延びるマチ部によって仕切られていてもよい。
【００２２】
カバー２０は、例えば、薄い布状とされており、平面視において長方形状を成している。カバー２０は、例えば、互いに重ね合わされて接合された２枚の掛け布団本体１０を収容する。各掛け布団本体１０は、その上面１０ａに固定された第１固定部材１３と、下面１０ｂに固定された第２固定部材１４とを備える。第１固定部材１３及び第２固定部材１４は、例えば、縫製によって掛け布団本体１０に固定されている。但し、この固定手段は、溶着等であってもよく、適宜変更可能である。
【００２３】
第１固定部材１３及び第２固定部材１４は、掛け布団本体１０において面状に固定されており、肌触りを妨げる程度の凹凸を有しない形状とされている。例えば、第１固定部材１３の色彩及び第２固定部材１４の色彩は、互いに異なっている。これにより第１固定部材１３と第２固定部材１４とを容易に識別することが可能である。
【００２４】
第１固定部材１３及び第２固定部材１４は、例えば、共に、掛け布団本体１０の長手方向（図１の左右方向）の一端、掛け布団本体１０の長手方向の他端、及び掛け布団本体１０の長手方向の中央、のそれぞれに固定されている。このように、掛け布団本体１０の長手方向の一端、掛け布団本体１０の長手方向の他端、及び掛け布団本体１０の長手方向の中央、のそれぞれにおいて、一の掛け布団本体１０の第１固定部材１３が他の掛け布団本体１０の第２固定部材１４に接合されることにより、２枚の掛け布団本体１０の間で生じるずれが抑制される。
【００２５】
図２及び図３に示されるように、掛け布団本体１０の上面１０ａに固定された第１固定部材１３と、掛け布団本体１０の下面１０ｂに固定された第２固定部材１４とは、互いに接合される。第１固定部材１３及び第２固定部材１４は、それぞれ、輪状に突出する複数のパイル部１３ａ，１４ａを有する。
【００２６】
第１固定部材１３の第１パイル部１３ａ、及び第２固定部材１４の第２パイル部１４ａは、共に、柔軟性が高い糸の集合体によって構成されている。第１固定部材１３に設けられた複数の第１パイル部１３ａと、第２固定部材１４に設けられた複数の第２パイル部１４ａと、は粗さ及び配置間隔が互いに異なっている。
【００２７】
具体的には、第１パイル部１３ａの糸の集合体は第２パイル部１４ａの糸の集合体よりも太くなっており、複数の第１パイル部１３ａの配置間隔は複数の第２パイル部１４ａの配置間隔よりも広くなっている。これにより、複数の第１パイル部１３ａにおける柔らかい糸の集合体と、複数の第２パイル部１４ａにおける柔らかい糸の集合体とは互いに引っ掛かって絡み合っている。
【００２８】
第１固定部材１３が第１パイル部１３ａを備え、第２固定部材１４が第２パイル部１４ａを備え、第１パイル部１３ａと第２パイル部１４ａが貼り合わされて第１固定部材１３及び第２固定部材１４が互いに接合されることにより、第１固定部材１３と第２固定部材１４の間で生じる面内方向へのずれが抑制される。一方、面外方向において、第１固定部材１３及び第２固定部材１４は容易に剥がすことが可能である。
【００２９】
図４は、カバー２０、及びカバー２０の内部に収容された掛け布団本体１０を模式的に示す平面図である。図４の上側は掛け布団１が掛けられる使用者の頭部側を示しており、図４の下側は掛け布団１が掛けられる使用者の足側を示している。以下では、図４の上側を「頭部側」、図４の下側を「足側」とする。
【００３０】
第１固定部材１３は複数設けられており、一部の第１固定部材１３は後述する接合部材３０の下に配置されている。第２固定部材１４は、第１固定部材１３の裏側に設けられており、例えば、第１固定部材１３と同様に配置されている。第１固定部材１３は、掛け布団本体１０の四隅、掛け布団本体１０の長辺の中央部分、及び掛け布団本体１０の短辺、のそれぞれに設けられている。
【００３１】
一例として、９個の第１固定部材１３が設けられており、掛け布団本体１０の頭部側の短辺には２個の第１固定部材１３が配置され、掛け布団本体１０の足側の短辺には１個の第１固定部材１３が配置されている。このように、頭部側の第１固定部材１３の数と、足側の第１固定部材１３の数とが互いに異なっているので、掛け布団本体１０の頭部側及び足側を容易に認識することが可能である。
【００３２】
掛け布団本体１０の頭部側に位置する２個の第１固定部材１３は、例えば、掛け布団本体１０の短辺の中点に対して互いに対称となる位置に配置されている。また、掛け布団本体１０の足側に位置する１個の第１固定部材１３は、例えば、掛け布団本体１０の短辺の中点に配置されている。
【００３３】
各第１固定部材１３は、例えば、直角三角形状とされている。掛け布団本体１０の四隅に位置する第１固定部材１３の直角部分は掛け布団本体１０の直角部分に一致する。また、掛け布団本体１０の四隅以外に位置する第１固定部材１３の直角部分は、掛け布団本体１０の内側（中心側）に向けられる。
【００３４】
カバー２０は、既存の寝具用カバーである。ここで、「既存の寝具用カバー」とは、従来から存在する既成のカバーであり、掛け布団本体１０だけでなく、従来の寝具本体を収容可能なカバーを示している。また、「既存の寝具用カバー」は、使用者が所有する既成のカバーだけでなく、使用者が新たに入手したカバーも含んでおり、要は、紐状体を有する全てのカバーを含む。
【００３５】
カバー２０は、その内面２１に設けられた複数の紐状体２２と、カバー２０を開閉するためのファスナー２３とを備えている。なお、ファスナー２３は、実際にはカバー２０の一の長辺２０ａ、及びカバー２０の一の短辺２０ｂに設けられているが、図４では、ファスナー２３を破線により模式的に示している。
【００３６】
紐状体２２は、その一端がカバー２０の内面２１に固定されており、紐状体２２の他端はカバー２０の内側に延びている。紐状体２２は、従来の寝具本体をカバー２０の内部でカバー２０に繋ぎ止めるための紐である。紐状体２２は、例えば、従来の寝具本体から延びる輪状の紐状部分に結び付けられる。これにより、紐状体２２はカバー２０の内部で従来の寝具本体を固定する。
【００３７】
紐状体２２は、例えば、カバー２０の四隅のうちの２か所、カバー２０の長辺の中央、及びカバー２０の短辺、のそれぞれに設けられている。実際は１か所あたり２本の紐状体２２が延び出しているが（図５参照）、図４では２本の紐状体２２の図示を簡略化している。２本の紐状体２２が延び出す位置は、掛け布団本体１０の第１固定部材１３が設けられる位置に対応している。
【００３８】
ファスナー２３は、前述したように、少なくともカバー２０の一の長辺２０ａに沿って設けられており、一の長辺２０ａ及び一の短辺２０ｂの両方に設けられていてもよい。ファスナー２３が長辺２０ａ及び短辺２０ｂに設けられる場合、ファスナー２３が平面視Ｌ字状に配置されるため、カバー２０に対する掛け布団本体１０の出し入れを容易に行うことが可能となる。また、カバー２０の四隅のうち２か所に設けられた紐状体２２、及びカバー２０の長辺の中央に設けられた紐状体２２は、ファスナー２３が設けられる長辺２０ａの反対側（カバー２０の奥側）に設けられている。
【００３９】
従来の寝具では、前述したように、カバー２０に寝具本体を収容する度に紐状体２２を寝具本体の紐状体に結び付ける必要があり、カバー２０から寝具本体を取り出すときには毎回紐状体２２を解く必要がある。よって、カバー２０に従来の寝具本体を収容するときには、カバー２０に対する寝具本体の出し入れが面倒で煩わしいという問題があった。
【００４０】
そこで、本実施形態では、紐状体２２に接合部材３０が取り付けられており、各紐状体２２は各接合部材３０を介して掛け布団本体１０に接合される。図４及び図５に示されるように、接合部材３０は、既存のカバー２０と、カバー２０に収容される掛け布団本体１０とを接合する。
【００４１】
接合部材３０は、紐状体２２が取り付けられる取付部３１と、掛け布団本体１０に貼り合わされて掛け布団本体１０に接合される第１布状部材３２及び第２布状部材３３（図６参照）とを備える。接合部材３０は、全体として平布状とされている。また、接合部材３０の形状は、例えば、第１固定部材１３の形状に対応している。本実施形態において、接合部材３０は、斜辺３０ａ、及び直角部分３０ｄを挟む２つの辺３０ｂ，３０ｃを備えた直角三角形状とされている。接合部材３０は、例えば直角二等辺三角形状とされていてもよい。
【００４２】
図５及び図６に示されるように、第１布状部材３２及び第２布状部材３３は、共に、平布状とされている。接合部材３０は、２枚の布状部材３２，３３が重ね合わされることによって形成される。第１布状部材３２は、掛け布団本体１０の反対側（カバー２０側）に向けられる部位である。第１布状部材３２は、例えば、前述した第１固定部材１３と同一の素材によって構成される。
【００４３】
第２布状部材３３は、掛け布団本体１０側に向けられる部位である。第２布状部材３３は、例えば、第２固定部材１４と同一の素材によって構成される。これにより、第２布状部材３３は第１固定部材１３に接合可能であり、且つ第１布状部材３２は第２固定部材１４に接合可能である。
【００４４】
第１布状部材３２及び第２布状部材３３は、共に、肌触りを妨げる程度の凹凸を有しない形状とされている。第１布状部材３２の色彩及び第２布状部材３３の色彩は、互いに異なっていてもよい。また、第１布状部材３２の色彩は第１固定部材１３の色彩と同一であってもよいし、第２布状部材３３の色彩は第２固定部材１４の色彩と同一であってもよい。
【００４５】
取付部３１は、紐状とされており、例えば、接合部材３０の辺３０ｂから辺３０ｃに向かって斜めに延びている。取付部３１の一端及び他端は、第１布状部材３２と第２布状部材３３の間に挟み込まれた状態で固定されている。具体的には、第１布状部材３２及び第２布状部材３３は、辺３０ｂ，３０ｃにおいて共に接合部材３０の内部に折り返されており、取付部３１は、第１布状部材３２及び第２布状部材３３の内部に折り返された部分と共に接合部材３０の内部で縫い込まれることによって、固定されている。
【００４６】
取付部３１は、第１布状部材３２の表面３２ａにおいて縫い込まれており、接合部材３０は、斜辺３０ａ及び辺３０ｂ，３０ｃに沿った縫い目３４を有する。このように、取付部３１は、第１布状部材３２及び第２布状部材３３の内側（接合部材３０の内部）で縫い込まれると共に、表面３２ａの縫い目３４で縫い込まれることにより、強固に固定されている。取付部３１は、例えば、布帛によって構成されており、掛け布団本体１０の布部１２と同一の材料によって構成されていてもよい。この場合、取付部３１の摩耗が生じにくくなるので、取付部３１の強度を一層高めることが可能となる。
【００４７】
次に、接合部材３０を用いて掛け布団本体１０をカバー２０に収容する方法について図４及び図５を参照しながら説明する。まず、カバー２０に接合部材３０を取り付ける初期作業について説明する。この初期作業では、カバー２０のファスナー２３を空けてカバー２０の内側の各紐状体２２に接合部材３０を取り付けておく。このとき、２本の紐状体２２のうちの１本を取付部３１に引っ掛けて、取付部３１に引っ掛けた紐状体２２を他の紐状体２２に縛り付けることによって、紐状体２２に接合部材３０を取り付ける。
【００４８】
初期作業が完了した後には、カバー２０の内部に掛け布団本体１０を配置し、掛け布団本体１０の各第１固定部材１３に各接合部材３０を貼り付ける。このとき、各第１固定部材１３に各接合部材３０の第２布状部材３３を貼り付けることによって各接合部材３０に掛け布団本体１０に接合し、カバー２０の内部における掛け布団本体１０の位置及び形状を安定させる。
【００４９】
その後、カバー２０のファスナー２３を閉じることにより、カバー２０による掛け布団本体１０のカバーリングが完了する。以上のように、初期作業としては各紐状体２２に各接合部材３０を取り付けることが必要であるが、一度接合部材３０を取り付けた後には、各第１固定部材１３に各接合部材３０を貼り付けるだけで接合を容易に行うことが可能である。
【００５０】
更に、面外方向において第１固定部材１３から第２布状部材３３を容易に剥がすことができるので、各第１固定部材１３からの各第２布状部材３３の取り外しを容易に行うことが可能である。このように、紐状体２２に結び付けられる接合部材３０を設けることにより、既存のカバー２０に対する掛け布団本体１０の出し入れを容易に行うことができる。
【００５１】
次に、本実施形態に係る接合部材３０から得られる作用効果について詳細に説明する。
【００５２】
接合部材３０は、カバー２０の内側で延びる紐状体２２が取り付けられる取付部３１と、掛け布団本体１０に貼り付けられて掛け布団本体１０に接合される第１布状部材３２及び第２布状部材３３とを備える。よって、一度取付部３１にカバー２０の紐状体２２を取り付けた後には、第２布状部材３３を第１固定部材１３に貼り付けることによって容易にカバー２０と掛け布団本体１０との接合を行うことができる。
【００５３】
従って、掛け布団本体１０のカバーリングを容易に行うことができる。すなわち、カバー２０の内面２１から延びる紐状体２２に取り付けられた接合部材３０の第２布状部材３３を掛け布団本体１０に貼り付けることによって、カバー２０に対する掛け布団本体１０の接合を容易に行うことができる。
【００５４】
また、接合部材３０が取り付けられるカバー２０としては、従前から存在する既存のものを用いることができる。よって、使用者が昔から使用している既存のカバー２０の紐状体２２を接合部材３０の取付部３１に取り付ければ、その後は接合部材３０を掛け布団本体１０に接合させてカバーリングを行うことができるので、その後のカバーリングを効率よく行うことができる。このように、接合部材３０は、既存のカバー２０にも応用することができるため、汎用性を高めることができる。
【００５５】
また、接合部材３０は、複数枚の布状部材３２，３３が重ね合わされて構成される。接合部材３０が２枚の布状部材３２，３３を含むので、接合部材３０にコシを持たせることができる。従って、接合部材３０付きのカバー２０を洗濯しても接合部材３０が丸くなることを抑制することができると共に、接合部材３０の強度を高めることができる。
【００５６】
また、取付部３１は紐状とされており、紐状体２２が取付部３１に引っ掛けられることにより、紐状体２２が取付部３１に取り付けられる。従って、紐状の取付部３１にカバー２０の内面２１から延びる紐状体２２を引っ掛けることにより、カバー２０に接合部材３０を取り付けることができる。よって、既存のカバー２０に対する接合部材３０の取り付けを容易に行うことができる。
【００５７】
また、取付部３１の一端及び他端は第１布状部材３２及び第２布状部材３３の間に固定されている。よって、取付部３１の一端及び他端が第１布状部材３２及び第２布状部材３３の間に挟み込まれた状態で固定されるので、紐状の取付部３１の強度を高めることができる。従って、洗濯等によってカバー２０から接合部材３０が外れる可能性を低減させることができる。
【００５８】
また、取付部３１及び複数枚の布状部材３２，３３は、共に第１布状部材３２の表面３２ａにおいて縫い込まれている。よって、取付部３１及び複数枚の布状部材３２，３３が共に縫い込まれることにより、取付部３１及び布状部材３２，３３の強度をより高めることができる。従って、洗濯等によってカバー２０から接合部材３０が外れる可能性を一層確実に抑えることができる。
【００５９】
また、図３に示されるように、掛け布団本体１０の第１固定部材１３は、第１固定部材１３の厚さ方向に突出する複数の第１パイル部１３ａを有し、第２固定部材１４は、第２固定部材１４の厚さ方向に突出する複数の第２パイル部１４ａを有し、第１パイル部１３ａの配置間隔と第２パイル部１４ａの配置間隔とは互いに異なっており、第１固定部材１３は、複数の第１パイル部１３ａが複数の第２パイル部１４ａに引っ掛かって絡まることにより、第２固定部材１４に面接合する。
【００６０】
よって、複数の第１パイル部１３ａと複数の第２パイル部１４ａとが互いに引っ掛かって絡まることにより第１固定部材１３が第２固定部材１４に面接合するので、第１固定部材１３及び第２固定部材１４の接合を容易に且つ強固に行うことができる。従って、掛け布団本体１０間のずれを確実に抑制することができるので、掛け布団１を用いた使用者の寝心地の向上に寄与する。
【００６１】
また、接合部材３０の第１布状部材３２と第１固定部材１３とは互いに同一の材料によって構成されており、接合部材３０の第２布状部材３３と第２固定部材１４とは互いに同一の材料によって構成されている。よって、第１布状部材３２と第２固定部材１４との接合、及び第２布状部材３３と第１固定部材１３との接合、を容易に且つ強固に行うことができる。従って、掛け布団本体１０に対する接合部材３０のずれを確実に抑制することができるので、寝心地の更なる向上に寄与する。
【００６２】
（第２実施形態）
次に、第２実施形態に係る接合部材４０について図７を参照しながら説明する。接合部材４０は、１枚の布状部材４１を備える点で第１実施形態の接合部材３０と異なっている。以下では、第１実施形態と重複する説明を適宜省略する。布状部材４１は、例えば、第１布状部材３２及び第２布状部材３３よりも強度が高い布によって構成されている。
【００６３】
布状部材４１は、例えば、直角部分３０ｄを備えた直角三角形状とされている。布状部材４１には、取付部３１が設けられており、取付部３１の一端及び他端は、布状部材４１の表面４１ａ及び裏面において共に縫い込まれている。例えば、布状部材４１の表面４１ａは第１固定部材１３と同一の材料によって構成されており、布状部材４１の裏面は第２固定部材１４と同一の材料によって構成されている。従って、布状部材４１の裏面が第１固定部材１３に接合することによって、カバー２０の紐状体２２が接合部材４０を介して掛け布団本体１０に接合される。
【００６４】
第２実施形態に係る接合部材４０は、カバー２０の紐状体２２が取り付けられる取付部３１と、掛け布団本体１０に貼り付けられて接合される布状部材４１と、を備える。よって、一度取付部３１に紐状体２２を取り付けた後には、布状部材４１を掛け布団本体１０に貼り付けることによって容易にカバー２０と掛け布団本体１０との接合を行うことができる。従って、第１実施形態と同様の効果が得られる。
【００６５】
以上、本発明に係る接合部材の各実施形態について説明した。しかしながら、本発明は、前述した各実施形態に限定されることなく、特許請求の範囲に記載した要旨を変更しない範囲において適宜変更することが可能である。
【００６６】
例えば、前述の実施形態では、２本の紐状体２２のうちの１本を取付部３１に通し、当該紐状体２２を他の紐状体２２に結び付けることによって、紐状体２２に接合部材３０を取り付ける例について説明した。しかしながら、紐状体に接合部材を取り付ける手段は、上記の例に限定されず適宜変更可能である。例えば、ボタンによって紐状体に接合部材を取り付けてもよいし、接合部材に形成した貫通孔に紐状体を通すことによって紐状体に接合部材を取り付けてもよい。
【００６７】
また、前述の実施形態では、２枚の布状部材３２，３３を備えた接合部材３０、並びに、１枚の布状部材４１を備えた接合部材４０について説明した。しかしながら、接合部材は、３枚以上の布状部材を備えていてもよい。また、複数の布状部材を貼り合わせる手段は、縫い目３４に限られず適宜変更可能である。すなわち、縫い目３４の位置及び長さは適宜変更可能であると共に、縫い目以外の手段によって複数の布状部材が固定されていてもよい。更に、前述の実施形態では、直角三角形状の接合部材３０，４０について説明した。しかしながら、接合部材の形状、大きさ、材料、数及び配置態様については、前述の各実施形態に限定されず適宜変更可能である。
【００６８】
また、前述の実施形態では、掛け布団本体１０の第１固定部材１３に接合部材３０の第２布状部材３３を貼り付けることによって、接合部材３０を掛け布団本体１０に接合する例について説明した。しかしながら、複数枚の掛け布団本体の間に接合部材を挟み込むことによって、接合部材を掛け布団本体に接合してもよい。具体例として、２枚の掛け布団本体１０の間に接合部材３０を挟み込み、第１布状部材３２を第２固定部材１４に貼り付けると共に、第２布状部材３３を第１固定部材１３に貼り付けて接合が行われてもよい。この場合、接合部材３０による接合を一層強固に行うことができる。
【００６９】
また、前述の実施形態では、柔らかい糸の集合体から成るパイル部１３ａ，１４ａを備える固定部材１３，１４について説明した。しかしながら、固定部材の材料は上記に限定されず適宜変更可能である。例えば、固定部材は面ファスナーであってもよい。本発明に係る接合部材についても同様に適宜変更可能である。
【００７０】
また、前述の実施形態では、２枚の掛け布団本体１０及びカバー２０を備えた掛け布団１について説明したが、掛け布団における掛け布団本体の枚数は、１枚又は３枚以上であってもよい。更に、本発明に係る接合部材は、敷き布団、枕、座布団又はクッション等、掛け布団以外の寝具にも適用可能である。
【００７１】
例えば、本発明に係る接合部材が適用される寝具は、敷き布団本体（寝具本体）及びシーツを備えた敷き布団であってもよい。このように、寝具が敷き布団である場合でも、前述の各実施形態と同様の効果が得られる。
【００７２】
また、本発明に係る接合部材が適用される寝具は、枕用芯材（寝具本体）及び枕カバー（寝具用カバー）を備えた枕であってもよい。この場合も前述の各実施形態と同様の効果が得られる。
【００７３】
また、従来の枕は、枕用芯材に綿又はパイプ等の内容物が充填されるため、多くのファスナー又はボタンを備えることが多い。これに対し、本発明に係る接合部材が適用される寝具が枕である場合には、ファスナー及びボタンを全て接合部材に置き換えることができるため、ファスナー及びボタンを不要とすることができる。従って、使用者にファスナー又はボタンが当たるのを回避することができるので、枕の使用者の寝心地を快適にすることができる。また、ファスナー又はボタンを取り付ける手間及びコストを大幅に抑えることができる。
【符号の説明】
【００７４】
１…掛け布団（寝具）、１０…掛け布団本体（寝具本体）、１０ａ…上面、１０ｂ…下面。１１…内容物、１２…布部、１３…第１固定部材、１３ａ…第１パイル部、１４…第２固定部材、１４ａ…第２パイル部、２０…カバー（寝具用カバー）、２０ａ…長辺、２０ｂ…短辺、２１…内面、２２…紐状体、２３…ファスナー、３０，４０…接合部材、３０ａ…斜辺、３０ｂ，３０ｃ…辺、３０ｄ…直角部分、３１…取付部、３２…第１布状部材、３２ａ，４１ａ…表面、３３…第２布状部材、３４…縫い目、４１…布状部材、４１ａ…表面、Ｓ…内部空間。
【図１】
2019024736.tif 000003
【図２】
2019024736.tif 000004
【図３】
2019024736.tif 000005
【図４】
2019024736.tif 000006
【図５】
2019024736.tif 000007
【図６】
2019024736.tif 000008
【図７】
2019024736.tif 000009